(57)【要約】【課題】  無線送受信部の制御回路の異常により無線基地局と無線送受信部の制御信号の通信が不能となった場合に、無線基地局から無線送受信部の再起動を可能とする。【解決手段】  無線基地局１１は無線送受信部２０からのヘルスチェック応答がないことを確認すると、無線送受信部２０に異常が発生していると判断し、無線基地局１１の電気／光変換部１６によって光回線１７の出力を制御する。無線送受信部２０ではリセット制御部２２にて光回線１７の入力状態を監視し、無線基地局１１にて光回線１７の出力が制御されていることを確認すると、無線送受信部２０の各回路をリセットする。【選択図】      図１                                                  
2005252507.tif 000002
【特許請求の範囲】
【請求項１】
無線基地局と、この無線基地局と通信回線を介して接続される無線送受信部とを含む無線基地局システムであって、
前記無線基地局は前記通信回線の出力を制御する出力制御手段を含み、
前記無線送受信部は前記通信回線の出力が制御されていることを検出した場合、前記無線送受信部の各回路をリセットするリセット手段を含むことを特徴とする無線基地局システム。
【請求項２】
前記出力制御手段は前記通信回線の出力を一定時間断とすることを特徴とする請求項１記載の無線基地局システム。
【請求項３】
前記リセット手段は前記通信回線の出力が一定時間断となっていることを検出した場合、前記無線送受信部の各回路をリセットすることを特徴とする請求項２記載の無線基地局システム。
【請求項４】
前記出力制御手段は前記無線送受信部に異常が発生したと判断した場合に前記通信回線の出力を制御することを特徴とする請求項１から３いずれかに記載の無線基地局システム。
【請求項５】
前記リセット手段は前記通信回線が断となった場合、前記無線送受信部の各回路をリセットしないことを特徴とする請求項１記載の無線基地局システム。
【請求項６】
無線基地局と、この無線基地局と通信回線を介して接続される無線送受信部とを含む無線基地局システムにおける前記無線送受信部の制御方法であって、
前記無線基地局は前記通信回線の出力を制御する出力制御ステップを含み、
前記無線送受信部は前記通信回線の出力が制御されていることを検出した場合、前記無線送受信部の各回路をリセットするリセットステップを含むことを特徴とする無線送受信部の制御方法。
【請求項７】
前記出力制御ステップは前記通信回線の出力を一定時間断とすることを特徴とする請求項６記載の無線送受信部の制御方法。
【請求項８】
前記リセットステップは前記通信回線の出力が一定時間断となっていることを検出した場合、前記無線送受信部の各回路をリセットすることを特徴とする請求項７記載の無線送受信部の制御方法。
【請求項９】
前記出力制御ステップは前記無線送受信部に異常が発生したと判断した場合に前記通信回線の出力を制御することを特徴とする請求項６から８いずれかに記載の無線送受信部の制御方法。
【請求項１０】
前記リセットステップは前記通信回線が断となった場合、前記無線送受信部の各回路をリセットしないことを特徴とする請求項６記載の無線送受信部の制御方法。
【発明の詳細な説明】
【技術分野】
【０００１】
本発明は、無線基地局システムおよびその無線送受信部の制御方法に関し、特に無線送受信部のリセット方法に関する。
【背景技術】
【０００２】
無線基地局の無線送受信部を光回線で張出し、無線基地局と無線送受信部の間で光回線を使用して制御信号の通信を行い、無線基地局にて無線送受信部の監視制御を行う無線基地局システムでは、無線送受信部の制御回路の異常により制御信号の通信が不可となった場合、無線送受信部を遠隔で再起動することが不可能となる。
【０００３】
無線送受信部は無線基地局に対して遠地に設置されている場合があるため、遠隔で再起動が不可能な場合は作業者が遠地まで移動して再起動処理を行う必要があり、多大な労力を要する。
【０００４】
一方、このような課題を解決する手段が特許文献１および２に開示されている。特許文献１には無線移動局Ｃから無線回線２を介して送信されたリセット指示情報により、無線基地局Ｂをリセットする技術が開示されている。
【０００５】
また、特許文献２には加入者試験機５５を使用して基地局装置３０をリセットする技術が開示されている。
【０００６】
【特許文献１】特開平９−３３１２８７号公報（段落０００６、図２）
【特許文献２】特開平１１−２７４９９６号公報（段落０００７、図１）
【発明の開示】
【発明が解決しようとする課題】
【０００７】
しかし、上記特許文献１記載の技術は無線移動局からの信号に基づき無線基地局をリセットするものであり、上記特許文献２記載の技術は加入者試験機を使用して基地局装置をリセットするものである。これらの技術の目的は本発明と共通するもののその解決手段が本発明と全く相違する。
【０００８】
そこで本発明の目的は、上記特許文献１および２記載の技術とは全く異なる手段により無線送受信部をリセットすることが可能な無線基地局システムおよびその無線送受信部の制御方法を提供することにある。
【課題を解決するための手段】
【０００９】
前記課題を解決するために、本発明による無線基地局システムは、無線基地局と、この無線基地局と通信回線を介して接続される無線送受信部とを含む無線基地局システムであって、前記無線基地局は前記通信回線の出力を制御する出力制御手段を含み、前記無線送受信部は前記通信回線の出力が制御されていることを検出した場合、前記無線送受信部の各回路をリセットするリセット手段を含むことを特徴とする。
【００１０】
また、本発明による無線送受信部の制御方法は、無線基地局と、この無線基地局と通信回線を介して接続される無線送受信部とを含む無線基地局システムにおける前記無線送受信部の制御方法であって、前記無線基地局は前記通信回線の出力を制御する出力制御ステップを含み、前記無線送受信部は前記通信回線の出力が制御されていることを検出した場合、前記無線送受信部の各回路をリセットするリセットステップを含むことを特徴とする。
【００１１】
すなわち、本発明による無線基地局は無線送受信部からのヘルスチェック応答がないことを確認すると、無線送受信部に異常が発生していると判断し、無線基地局の電気／光変換部によって光回線の出力を制御する。
【００１２】
無線送受信部ではリセット制御部にて光回線の入力状態を監視し、無線基地局にて光回線の出力が制御されていることを確認すると、無線送受信部の各回路をリセットする。
【００１３】
このようにして、本発明では、無線送受信部の制御回路の異常により無線基地局と無線送受信部の制御信号の通信が不能となった場合、無線基地局から光回線の出力を制御することで、無線送受信部の再起動が可能となる。
【発明の効果】
【００１４】
本発明によれば、上記構成を有することにより無線送受信部の異常により制御信号の通信が不可となった場合、無線送受信部を遠隔でリセットすることが可能となる。したがって、無線送受信部の保守が容易となる。
【発明を実施するための最良の形態】
【００１５】
以下、本発明の実施例について添付図面を参照しながら説明する。図１は本発明に係る無線基地局システムの一例の構成図である。
【００１６】
同図を参照すると、本発明に係る無線基地局システム１は、無線基地局１１と、無線送受信部２０と、光回線１７とを含んで構成される。
【００１７】
無線基地局１１は光回線１７により無線送受信部２０と接続されている。無線基地局１１は音声などのデータを変復調処理する信号処理部１２と、無線基地局１１及び無線送受信部２０の制御を行うＣＰＵ（central processing unit ）１３と、信号処理部１２にて変調処理された移動局への下り信号とＣＰＵ１３から無線送受信部２０へ送信される制御信号の多重、および信号処理部１２にて復調処理される移動局からの上り信号と無線送受信部２０からＣＰＵ１３への制御信号の分離を行う多重分離部１４と、多重分離部１４にて多重された下り信号をパラレルからシリアルに変換、および無線送受信部２０からの上り信号をシリアルからパラレルに変換するシリアル／パラレル変換部１５と、シリアル／パラレル変換部１５にてシリアル変換された下り信号を電気から光へ変換、および無線送受信部２０からの上り信号を光から電気へ変換する電気／光変換部１６とを含んで構成されている。また、ＣＰＵ１３は電気／光変換部１６を制御することにより、光回線１７の出力を断とすることが可能である。
【００１８】
無線送受信部２０は無線基地局１１からの下り信号を光から電気へ変換、および無線基地局１１へ送信する上り信号を電気から光へ変換する電気／光変換部２１と、電気／光変換部２１から出力される光回線入力断信号を監視し、無線送受信部２０の各回路をリセットするリセット制御部２２と、無線送受信部２０の制御を行うＣＰＵ２３と、電気／光変換部２１からの下り信号をシリアルからパラレルへ変換、および電気／光変換部２１への上り信号をパラレルからシリアルへ変換するシリアル／パラレル変換部２４と、シリアル／パラレル変換部２４からの下り信号を移動局へ送信する信号と、無線基地局１１からＣＰＵ２３への制御信号の分離、および移動局からの上り信号と、ＣＰＵ２３から無線基地局１１への制御信号の多重を行う多重分離部２５と、多重分離部２５から移動局への下り信号を無線周波数信号に変換、および移動局からの上り無線周波数信号を無線基地局１１への上り信号に変換する無線部２６とを含んで構成される。
【００１９】
次に、無線送受信部２０のリセット制御部２２の構成について説明する。図２はリセット制御部２２の一例の構成図である。同図を参照すると、リセット制御部２２はカウンタ１００と、ＯＲゲート１０１と、フリップ・フロップ（以下、ＦＦと表示する）１０２と、ＦＦ１０３と、ＮＡＮＤゲート１０４と、パルス伸長回路１０５と、ＡＮＤゲート１０６と、発振器１０７とを含んで構成されており、電気／光変換部２１からの光回線信号３０が入力断を示す場合に、無線送受信部２０の各回路へのリセット信号を生成する。
【００２０】
カウンタ１００は、発振器１０７から出力されるクロックパルス信号３２をカウントし、その結果をＱ１、Ｑ２、Ｑ３へ出力する。ＯＲゲート１０１では光回線信号３０とＦＦ１０２の出力を論理和演算し、カウンタ１００のリセット端子Ｒへ供給する。
【００２１】
カウンタ１００のＱ３出力はＦＦ１０２のセット端子Ｓに供給され、ＦＦ１０２をセットする。光回線信号３０はＦＦ１０２のリセット端子Ｒに供給されており、ＦＦ１０２をリセットする。
【００２２】
カウンタ１００のＱ２出力はＦＦ１０３のクロック端子ＣＬＫに供給されており、Ｑ２の立ち上がりによりＦＦ１０３のデータがセットされる。
【００２３】
ＦＦ１０３の出力は、光回線信号３０と共にＮＡＮＤゲート１０４へ供給され、光回線信号３０が断を示しかつＦＦ１０３のデータがセットされているときにリセット信号を出力する。
【００２４】
ＮＡＮＤ１０４から供給されるリセット信号３３は、パルス伸張回路１０５によって伸張され、無線送受信部２０の各回路へのリセット信号３１を出力する。
【００２５】
ＡＮＤゲート１０６ではパルス伸張回路１０５にてパルス伸張されたリセット信号３１とカウンタ１００のＱ３出力とを論理積演算し、ＦＦ１０３のリセット端子Ｒへ供給する。
【００２６】
次に図１に示す無線基地局システムの動作について説明する。無線基地局１１にて移動局との通信を開始する際、無線送受信部２０に対して無線周波数の設定、および無線送信開始の制御を行う。
【００２７】
無線基地局１１では無線送受信部２０が正常に動作しているか確認するため、定期的にヘルスチェック要求を送信する。無線基地局１１から無線送受信部２０へ送信されるヘルスチェック要求は、制御信号としてＣＰＵ１３から多重分離部１４に出力され、信号処理部１２からの変調信号と多重される。
【００２８】
多重分離部１４にて多重された信号は、シリアル／パラレル変換部１５にてシリアルに変換され、さらに電気／光変換部１６にて光信号に変換されて光回線１７を通して無線送受信部２０に送信される。
【００２９】
無線送受信部２０では電気／光変換部２１にて無線基地局１１からの光信号を電気信号に変換し、さらにシリアル／パラレル変換部２４にてパラレル変換される。
【００３０】
シリアル／パラレル変換部２４にてパラレル変換された信号は多重分離部２５にて無線部２６への変調信号と、ＣＰＵ２３への制御信号に分離される。
【００３１】
ＣＰＵ２３では無線基地局１１からの制御信号を受信し、ヘルスチェック要求を確認する。ヘルスチェック要求を確認したＣＰＵ２３では、無線基地局１１に対してヘルスチェック応答を送信する。
【００３２】
ヘルスチェック応答は、制御信号としてＣＰＵ２３から多重分離部２５に出力され、無線部２６からの変調信号と多重される。
【００３３】
多重分離部２５にて多重された信号は、シリアル／パラレル変換部２４にてシリアルに変換され、さらに電気／光変換部２１にて光信号に変換されて光回線１７を通して無線基地局１１に送信される。
【００３４】
無線基地局１１では電気／光変換部1 ６にて無線送受信部２０からの光信号を電気信号に変換し、さらにシリアル／パラレル変換部1 ５にてパラレル変換される。
【００３５】
シリアル／パラレル変換部１５にてパラレル変換された信号は多重分離部１４にて信号処理部１２への変調信号と、ＣＰＵ１３への制御信号に分離される。
【００３６】
ＣＰＵ１３では無線送受信部２０からの制御信号を受信し、ヘルスチェック応答を確認する。
【００３７】
無線基地局１１では無線送受信部２０からのヘルスチェック応答が一定時間内に受信されたことを確認することで、無線送受信部２０の正常性を確認する。
【００３８】
ここで、無線送受信部２０からのヘルスチェック応答がない場合の無線基地局１１と無線送受信部２０の動作の一例について説明する。図３は無線基地局１１と無線送受信部２０の動作の一例を示すシーケンスチャートである。
【００３９】
同図を参照すると、無線基地局１１では無線送受信部２０に対してヘルスチェック要求を送信し、ヘルスチェック応答待ちタイマ（Ｔ１）をスタートする（ステップ２００）。
【００４０】
無線送受信部２０では、一例として、多重分離部２５が異常動作となっているため、無線基地局１１からのヘルスチェック要求を受信することが出来ない（ステップ２０１）。
【００４１】
無線基地局１１ではヘルスチェック応答が受信できないため、ヘルスチェック応答待ちタイマ（Ｔ１）のタイムアウトを確認し、電気／光変換部１６を制御することにより、一定時間光回線信号３０を断とする（ステップ２０２）。
【００４２】
無線送受信部２０ではリセット制御部２２にて一定時間光回線信号３０が断となったことを検出すると、無線送受信部２０の各ブロック（ＣＰＵ２３、シリアル／パラレル変換部２４、多重分離部２５および無線部２６）をリセットし、再起動させる( ステップ２０３) 。
【００４３】
無線送受信部２０の多重分離部２５もリセットされるため、再起動により異常動作も復旧する。
【００４４】
なお、多重分離部２５の異常のみならず、ＣＰＵ２３、シリアル／パラレル変換部２４または無線部２６の異常に対しても本発明の適用が可能なことは明白である。
【００４５】
次に、光回線信号３０を一定時間断とする場合の無線基地局１１の動作について説明する。図４は光回線信号３０を一定時間断とする場合の無線基地局１１の動作を示すフローチャートである。
【００４６】
同図を参照すると、無線基地局１１ではＣＰＵ１３より、電気／光変換部１６に対して光回線信号３０の出力を断とするよう制御し、タイマをスタートさせる（ステップ３００）。
【００４７】
タイマがタイムアウトしていない場合、タイムアウトするまで待ち続ける（ステップ３０１）。
【００４８】
タイマがタイムアウトすると電気／光変換部１６に対して光回線信号３０の出力断を復旧させるよう制御する（ステップ３０２）。
【００４９】
次に図２に示す無線送受信部２０内のリセット制御部２２の動作について説明する。
【実施例１】
【００５０】
第１実施例では一定時間だけ光回線信号３０が断となった場合のリセット制御部２２の動作について説明する。図５は一定時間だけ光回線信号３０が断となった場合のリセット制御部２２の動作を示すタイミングチャートである。
【００５１】
同図を参照すると、リセット制御部２２では光回線信号３０の断( 本実施例では、一例として、入力断の場合が低レベル（Ｌ）、入力有りの場合が高レベル（Ｈ）としている) を検出するとカウンタ１００がカウントを開始する（Ｔ１０）。
【００５２】
カウンタ１００のカウンタＱ２がカウントアップされるとＦＦ１０３へのクロック入力が立ちあがり、ＦＦ１０３Ｑが“Ｈ”となる（Ｔ１１）。
【００５３】
その後、光回線信号３０の断が復旧し、光回線信号３０が“Ｈ”になると、ＦＦ１０３Ｑと光回線信号３０によりＮＡＮＤ１０４からリセット信号３３（“Ｌ”レベル）が出力される（Ｔ１２）。
【００５４】
リセット信号３３は伸張部１０５によって伸張される（Ｔ１３）。
【００５５】
伸張部１０５から供給されるリセット信号３１（“Ｌ”レベル）はＣＰＵ２３、シリアル／パラレル変換部２４、多重分離部２５および無線部２６へ入力され、これらの回路がリセットされるとともに、ＡＮＤ１０６へも入力され、ＦＦ１０３がリセットされる。
【００５６】
以上述べたように、第１実施例によれば、一定時間だけ光回線信号３０が断となった場合、無線送受信部２０のＣＰＵ２３、シリアル／パラレル変換部２４、多重分離部２５および無線部２６がリセットされるという効果を奏する。
【実施例２】
【００５７】
第２実施例では光回線１７がケーブルを抜くこと等により、断の状態が長時間継続する場合のリセット制御部２２の動作について説明する。図６は長時間継続して光回線信号３０が断となった場合のリセット制御部２２の動作を示すタイミングチャートである。
【００５８】
リセット制御部２２では光回線信号３０入力の断（“Ｌ”）を検出するとカウンタ１００がカウントを開始する（Ｔ２０）。
【００５９】
カウンタ１００のカウンタＱ２がカウントアップされるとＦＦ１０３へのクロック入力が立ちあがり、ＦＦ１０３Ｑが“Ｈ”となる（Ｔ２１）。
【００６０】
その後も光回線信号３０は断（“Ｌ”）を継続したままであり、光回線信号３０が“Ｌ”のためリセット信号３３（“Ｌ”）は出力されない。
【００６１】
その後、カウンタ１００のカウンタＱ３がカウントアップされると、ＦＦ１０２にてデータがセットされ、ＦＦ１０２Ｑの出力が“Ｈ”となり、カウンタ１００がリセットされる（Ｔ２２）。
【００６２】
その後、光回線信号３０の断が回復するまで（光回線信号３０が“Ｈ”になるまで）ＦＦ１０２はリセットされないため、カウンタ１００はリセットされ続ける。
【００６３】
したがって、光回線信号３０の断が回復するまでリセット信号３１も“Ｌ”にならず、無線送受信部２０のＣＰＵ２３、シリアル／パラレル変換部２４、多重分離部２５および無線部２６もリセットされない。
【００６４】
以上述べたように、第２実施例によれば、断の状態が長時間継続する場合、断の状態が長時間継続する場合のＣＰＵ２３、シリアル／パラレル変換部２４、多重分離部２５および無線部２６はリセットされないという効果を奏する。
【００６５】
すなわち、本発明によれば、無線基地局１１からリモートリセットを行った場合は無線送受信部２０の各部がリセットされるが、ケーブルを抜くこと等リモートリセット以外の場合は無線送受信部２０の各部がリセットされないという効果を奏する。
【産業上の利用可能性】
【００６６】
本発明は上記実施例に限定されるものではなく、たとえば光回線にて張り出されたＣＰＵなどを持たない無線送受信部のリモートリセットにも適用することができる。
【図面の簡単な説明】
【００６７】
【図１】本発明に係る無線基地局システムの一例の構成図である。
【図２】リセット制御部２２の一例の構成図である。
【図３】無線基地局１１と無線送受信部２０の動作の一例を示すシーケンスチャートである。
【図４】光回線信号３０を一定時間断とする場合の無線基地局１１の動作を示すフローチャートである。
【図５】一定時間だけ光回線信号３０が断となった場合のリセット制御部２２の動作を示すタイミングチャートである。
【図６】長時間継続して光回線信号３０が断となった場合のリセット制御部２２の動作を示すタイミングチャートである。
【符号の説明】
【００６８】
１  無線基地局システム
１１  無線基地局
１２  信号処理部
１３  ＣＰＵ
１４  多重分離部
１５  シリアル／パラレル変換部
１６  電気／光変換部
１７  光回線
２０  無線送受信部
２１  電気／光変換部
２２  リセット制御部
２３  ＣＰＵ
２４  シリアル／パラレル変換部
２５  シリアル／パラレル変換部
２６  無線部
【図１】
2005252507.tif 000003
【図２】
2005252507.tif 000004
【図３】
2005252507.tif 000005
【図４】
2005252507.tif 000006
【図５】
2005252507.tif 000007
【図６】
2005252507.tif 000008